(57)【要約】【課題】軽量かつ安価で耐水性を有する荷重支持部材およびこれを用いた支持台を提供する。【解決手段】物品と載置面との間に置かれて物品の荷重を支持する角棒状の部材であって、紙製の波形板２１およびライナ２２を有する段ボール材２が幅方向に複数枚積層された積層体８を有し、前記波形板２１の目の方向が上下方向に設定され、耐水性を有する紙シートからなるカバー部材５が前記積層体８の外周面に接合されて、少なくとも前記端面８ａの下部、下面８ｂの全体および側面８ｃの下部を覆っている。【選択図】図２
0003120150.tif 000002
【実用新案登録請求の範囲】
【請求項１】
物品と載置面との間に置かれて物品の荷重を支持する角棒状の部材であって、
紙製の波形板およびライナを有する段ボール材が幅方向に複数枚積層された積層体を有し、
前記波形板の目の方向が上下方向に設定され、
耐水性を有する紙シートからなるカバー部材が前記積層体の外周面に接合されて、少なくとも前記端面の下部、下面の全体および側面の下部を覆っている荷重支持部材。
【請求項２】
請求項１において、前記紙シートは、折り曲げにより、前記端面、下面および側面にそれぞれ接合される部分が形成されている荷重支持部材。
【請求項３】
請求項１において、前記紙シートは、折り曲げにより、前記端面、上面、下面および側面にそれぞれ接合される部分が形成されている荷重支持部材。
【請求項４】
請求項１または２において、前記紙シートは、前記積層体のほぼ下半分を覆っている荷重支持部材。
【請求項５】
請求項１または２において、前記紙シートは、前記積層体の端面の全体を覆っている荷重支持部材。
【請求項６】
請求項１または３において、前記紙シートは、前記積層体の全体を覆っている荷重支持部材。
【請求項７】
請求項１から６のいずれか一項において、前記積層体に前記紙シートが複数枚重ねて接合されている荷重支持部材。
【請求項８】
請求項１から７のいずれか一項に記載の荷重支持部材が所定の間隔で複数並置され、
これら荷重支持部材の上面に平板が接合されてなる支持台。
【考案の詳細な説明】
【技術分野】
【０００１】
本発明は、建材や各種工業製品のような物品を床面などの載置面に積むときに使用される荷重支持部材および支持台に関するものである。
【背景技術】
【０００２】
従来、建材などを床面などに積み込むときには、りん木と称される角棒状の木材からなる荷重支持部材を用い、これの複数を床面に置いて、その上に建材などを積み込む。このようにすれば、建材などが傷み難く、また、フォークリフトを用いて積み上げたり積み下ろし作業が行える。最近では、重く高価な木材に代わって軽量かつ安価な段ボール製の荷重支持部材が利用されている。
【考案の開示】
【考案が解決しようとする課題】
【０００３】
段ボール製の荷重支持部材は、波形板およびライナを有する段ボール材が複数枚積層された積層体で形成されている。波形板の方向が荷重を受ける上下方向に設定されているため、軽量で高い強度を有する。ところが、段ボール製の荷重支持部材は紙製であることから、載置する床面が濡れている場合、前記積層体の下面に露出した波形板の目の部分から水が侵入し、強度が低下するおそれがある。これに対し、図７のように、積層体８Ａの周側面を段ボール材２Ａで覆った荷重支持部材１Ａが提案されているが（特許文献１参照）、長手方向の端面８Ａａの積層部分が露出しているため、水が侵入して強度が低下するおそれがある。
【特許文献１】特開平９−２５４９８４号公報
【０００４】
そこで、本発明の目的は、紙製の段ボール材を用いて、軽量かつ安価で、耐水性を有する荷重支持部材およびこれを用いた支持台を提供することにある。
【課題を解決するための手段】
【０００５】
上記目的を達成するために、本考案に係る荷重支持部材は、物品と載置面との間に置かれて物品の荷重を支持する角棒状の部材であって、紙製の波形板およびライナを有する段ボール材が幅方向に複数枚積層された積層体を有し、前記波形板の目の方向が上下方向に設定され、耐水性を有する紙シートからなるカバー部材が外周面に接合されて、少なくとも前記端面の下部、下面の全体および側面の下部を覆っている。
【０００６】
上記構成によれば、耐水性を有するカバー部材が、少なくとも載置する床面に近い端面、下面および側面を覆っているから、濡れた場所に載置しても、波形板の目の部分から水が浸入して、強度が低下するのが防止される。したがって、荷重支持部材を軽量かつ安価な紙製の段ボール材で形成することができ、リサイクルも容易で省資源に貢献する。また、カバー部材は前記段ボールのライナと同様の紙シートで形成され、例えば紙製の平板に樹脂を含浸した耐水・耐湿紙が用いられる。このような耐水性および耐湿性を有するカバー部材によれば、表面に撥水性を有するコーティングを施した場合に比べて、フォークリフトのフォークが当たって表面が傷ついた場合でも耐水性が保たれる。
【０００７】
本考案の好ましい態様によれば、前記紙シートは、折り曲げにより、前記端面、下面および側面にそれぞれ接合される部分が形成されている。この構成によれば、１枚の紙シートで容易に積層体の前記端面、下面および側面を覆い積層体に耐水性を与えるカバー部材を形成することができる。また、紙シートは切れ目がないから、耐水性が高く維持される。さらに、前記積層体に紙シートを接合することにより、荷重支持部材の曲げ強度が向上する。
【０００８】
本考案の好ましい態様によれば、前記紙シートは、折り曲げにより、前記端面、上面、下面および側面にそれぞれ接合される部分が形成されている。この構成によれば、１枚の紙シートで容易に積層体の前記端面、上面、下面および側面を覆い積層体に耐水性を与えるカバー部材を形成することができる。また、前記積層体の下面だけでなく上面にも紙シートを接合することにより、荷重支持部材の上下方向荷重に対する曲げ強度がさらに向上する。
【０００９】
本考案の好ましい態様によれば、前記紙シートは、前記積層体のほぼ下半分を覆っている。この構成によれば、積層体の床面に近い下半分が紙シートによって覆われているから、耐水性を保ちながら、紙シートの使用量を少なくして、省資源に貢献する。別の態様では、水分が侵入し易い積層体端面の全体が紙シートで覆われる。
【００１０】
本考案の好ましい態様によれば、前記紙シートは、前記積層体の全体を覆っている。この構成によれば、前記積層体の全体に前記紙シートを接合することにより、耐水性および荷重支持部材の曲げ強度が向上する。
【００１１】
本考案の好ましい態様によれば、前記積層体に前記紙シートが複数枚重ねて接合されている。この構成によれば、前記積層体の全体に前記紙シートを複数枚重ねることにより、耐水性および荷重支持部材の曲げ強度が向上する。
【００１２】
本考案に係る支持台は、本考案に係る前記荷重支持部材が所定の間隔で複数並置され、これら荷重支持部材の上面に平板が接合されて形成されている。この構成によれば、耐水性を有する荷重支持部材を桁材として用いることにより、支持台を濡れた場所に載置しても強度が低下するのが防止される。
【考案の効果】
【００１３】
本考案によれば、耐水性を有するカバー部材により積層体が保護されているので、濡れた場所に載置しても、波形板の目の部分から水が浸入して、強度が低下するのが防止される。したがって、紙製の段ボール材を用いて、軽量かつ安価で、耐水性を有し、リサイクルも容易な荷重支持部材およびこれを用いた支持台が得られる。
【考案を実施するための最良の形態】
【００１４】
以下、本考案に係る荷重支持部材の一実施形態を図面に基づいて説明する。
図１に示す荷重支持部材１は、波形板２１とライナ２２を有する紙製の段ボール材２が複数枚積層された積層体８に、耐水性を有する紙シートからなるカバー部材５が接合されて形成されている。積層体８は、波形板２１の目２０が上下方向に向けられた状態で幅方向に接合一体化して角棒状に形成されている。前記目２０が上下方向を向いていることにより、積層体８の上下方向荷重に対する強度が高い。前記波形板２１は、サインカーブ状または台形状のものが用いられ、波形板２１の片面に１枚のライナ２２を接合させている。
【００１５】
前記積層体８の長手方向の端面８ａ、下面８ｂおよび側面８ｃに耐水性を有するカバー部材５が接着剤により接合されている。積層体８にカバー部材５が接合された状態を図２に示す。カバー部材５は、図３のように１枚の紙製のシート材が、点線で示す折り線５ａで折り曲げられて、図２の積層体８の少なくとも端面８ａの下部、下面８ｂの全体および側面８ｃの下部を覆っている。紙シートは切れ目がないので、耐水性が高く維持される。図２では、カバー部材が端面側から側面側に折り返されているが、側面側から端面側に折り返してもよい。また、図３のカバー部材５の折り線５ａは、容易に折り曲げられるように、ミシン目などを入れておいてもよい。
【００１６】
カバー部材５は、前記段ボール材２のライナ２２と同じ紙製シート材であり、例えばパルプ、天然繊維、化学繊維、合成繊維などを原料とした板紙が用いられる。さらに、耐水性を与えるために、例えば樹脂を含浸した耐水・耐湿紙とされる。このような耐水性および耐湿性を有するカバー部材５によれば、表面に撥水性を有するコーティングを施した場合に比べて、フォークリフトのフォークが当たって表面が傷ついた場合でも耐水性が保たれる。
【００１７】
以上のように形成された荷重支持部材１は、図４に示すように、複数並べて載置面である床４と物品３の間に置かれる。これにより、物品３を床４から離して支持する。また、物品３の上面をさらに載置面として、荷重支持部材１を配置し、その上に物品３を積み重ねることもできる。
【００１８】
図２では、カバー部材５が積層体８のほぼ下半分のみを覆って、カバー部材５を節約しているが、図５のように、水分が侵入し易い積層体８の両端面８ａについては、その全体を覆うようにしてもよい。
カバー部材５を積層体８の下面だけでなく上面にも接合してもよい。これにより、荷重支持部材１の上下方向荷重に対する曲げ強度が下面のみに接合した場合に比べて向上する。また、紙シートが積層体８の全体を覆ってもよい。その場合、紙シートは、１枚のシート材から折り曲げにより、前記端面、上面、下面および側面にそれぞれ接合される部分が形成されており、箱を包む要領で積層体８全体を包込むように接合する。あるいは、図２に二点鎖線で示すように、下側のカバー部材５に重ねて上側にカバー部材５Ａを接合して、積層体８の両端面８ａの上部、上面８ｄの全体および側面８ｃの上部を覆ってもよい。
さらに、積層体８に紙シートを複数枚重ねて接合してもよい。この構成によれば、積層体８の全体に前記紙シートを複数枚重ねることにより、荷重支持部材の曲げ強度が向上する。なお、積層体８に複数枚紙シートを貼り合わせる場合には、１枚ずつ接着剤で接合するのが好ましい。
【００１９】
図６は、前記荷重支持部材１を桁材として用いたスキッドと呼ばれる支持台１２を示す斜視図である。荷重支持部材１が所定の間隔で複数並置され、これら荷重支持部材１の上面に平板１０が接合されている。この平板１０として、目２０の方向を上下方向に向けた紙製の段ボール材２を積層した段ボール平板が用いられている。
【００２０】
以上のように、紙製の積層体８に耐水性を有する紙製のカバー部材５が接合されることにより、軽量かつ安価で、耐水性に優れた荷重支持部材１およびそれを用いた支持台１２が得られる。また、紙製の段ボール材２を用いることにより、リサイクルが容易に行えて省資源的にも優れる。
【図面の簡単な説明】
【００２１】
【図１】本考案に係る荷重支持部材の分解斜視図である。
【図２】同荷重支持部材の斜視図である。
【図３】同荷重支持部材に接合されるカバー部材の展開図である。
【図４】同荷重支持部材の一使用例を示す斜視図である。
【図５】本考案の他の実施形態に係る荷重支持部材の斜視図である。
【図６】本考案に係る支持台の斜視図である。
【図７】従来の荷重支持部材の斜視図である。
【符号の説明】
【００２２】
１  荷重支持部材
２  段ボール材
５  カバー部材
８  積層体
８ａ  端面
８ｂ  下面
８ｃ  側面
１０  平板
１２  支持台
２０  目
２１  波形板
２２  ライナ
【図１】
0003120150.tif 000003
【図２】
0003120150.tif 000004
【図３】
0003120150.tif 000005
【図４】
0003120150.tif 000006
【図５】
0003120150.tif 000007
【図６】
0003120150.tif 000008
【図７】
0003120150.tif 000009